(57)【要約】【課題】ファイバトレイ上に複数の巻き付け部を有することによって、様々な長さの余長部分を収納することができる。【解決手段】余長収納部Ｓ２は、第２の巻き付け部１２の周囲に光ファイバを巻き付ける巻き付けパターンＰ１、第１の巻き付け部１１と第２の巻き付け部１２との間に光ファイバを大きい長円状及び８の字状に巻き付ける巻き付けパターンＰ２，Ｐ３、第１の巻き付け部１１と第２の巻き付け部１２の第２の部分１２Ｂとの間に光ファイバを小さい長円状に巻き付ける巻き付けパターンＰ４を有する。巻き付けパターンＰ５のような引き回し方も可能である。【選択図】  図７
2006115341.tif 000002
【特許請求の範囲】
【請求項１】
一面が開放される本体ケーシングと、この本体ケーシングの前記一面側に取り外し可能に設けられるファイバトレイとを備え、前記ファイバトレイに光ファイバの余長部分を巻き付けて収納する余長収納部が形成されている光受信機の光ファイバ余長収納構造において、
前記ファイバトレイ上には、第１の巻き付け部と第２の巻き付け部とが一定間隔を隔てて配置され、前記第２の巻き付け部が、第１の部分と第２の部分とに分割されて、それらの間を前記光ファイバが配置可能に構成され、
前記ファイバトレイが、前記第１の巻き付け部と前記第２の巻き付け部との間に、前記光ファイバを大きい長円状に巻き付ける巻き付けパターン及び８の字状に巻き付ける巻き付けパターンに加えて、前記第１の巻き付け部と第２の巻き付け部の第２の部分との間に前記光ファイバを小さい長円状に巻き付ける巻き付けパターンを有することを特徴とする光受信機の光ファイバ余長収納構造。
【請求項２】
前記第１の巻き付け部と第２の巻き付け部との間に案内部が設けられ、この案内部は、前記第２の巻き付け部の第２の部分に巻き付けられる前記光ファイバの曲率半径が、前記第２の巻き付け部の第１の部分に巻き付けられる前記光ファイバの曲率半径と同じかあるいはそれよりも大きくなるように前記光ファイバの巻き付けを案内するものであることを特徴とする請求項３記載の光受信機の光ファイバ余長収納構造。
【請求項３】
一面が開放される本体ケーシングと、この本体ケーシングの前記一面側に取り外し可能に設けられるファイバトレイとを備え、前記ファイバトレイに光ファイバの余長部分を巻き付けて収納する光受信機の光ファイバ余長収納構造において、
前記ファイバトレイ上には、２つの巻き付け部の間に１つの中間巻き付け部が配置されるとともに、前記２つの巻き付け部及び１つの中間巻き付け部のいずれに対しても前記光ファイバを巻き付け可能に構成され、
前記１つの中間巻き付け部が前記２つの巻き付け部のうちのいずれか一方の巻き付け部に接近して配置されていることを特徴とする光受信機の光ファイバ余長収納構造。
【請求項４】
前記１つの中間巻き付け部に巻き付けられる前記光ファイバの曲率半径が、前記２つの巻き付け部に巻き付けられる前記光ファイバの曲率半径と同じかあるいはそれよりも大きくなるように前記光ファイバの巻き付けを案内する案内部が、前記１つの中間巻き付け部と前記１つの中間巻き付け部から離れて配置されている巻き付け部との間に設けられていることを特徴とする請求項２記載の光受信機の光ファイバ余長収納構造。
【請求項５】
前記案内部より外側の位置に、前記光ファイバを繋ぐ接続具を保持可能である保持部が配置されていることを特徴とする請求項２又は４記載の光受信機の光ファイバ余長収納構造。
【請求項６】
一面が開放される本体ケーシングと、この本体ケーシングの前記一面側に取り外し可能に設けられるファイバトレイとを備え、前記ファイバトレイに光ファイバの余長部分を巻き付けて収納する光受信機の光ファイバ余長収納構造において、
前記ファイバトレイ上には、２つの巻き付け部の間に２つの中間巻き付け部が配置されるとともに、前記２つの巻き付け部及び２つの中間巻き付け部のいずれに対しても前記光ファイバを巻き付け可能に構成され、
前記２つの中間巻き付け部は、前記２つの巻き付け部のうちの近い側の巻き付け部に接近して配置されていることを特徴とする光受信機の光ファイバ余長収納構造。
【発明の詳細な説明】
【技術分野】
【０００１】
本発明は、光受信機の光ファイバ余長収納構造に関するものである。
【背景技術】
【０００２】
屋外の光ケーブルを、屋外から屋内に光ファイバとして引き込むための装置として、光受信機（ＦＴＴＨ端末機）が知られている。この光受信機は、光ファイバにて入力される光信号を、電気信号に変換するものである。
【０００３】
前述した光受信機においては、光ファイバについて接合・結線作業をする必要があるために、そのような作業ができるように数十ｃｍ程度の余長を確保することが求められる。一方、接合・結線作業はファイバトレイ上で行うため、光ファイバの余長部分を引き回し収納する構造が、ファイバトレイ上に必要になる。また、光受信機内部において、光ファイバの接合・結線作業をする際には、光ファイバは様々な長さの余長を取ることがあるので、そのような様々な長さの光ファイバを引き回すために適用範囲の広い収納パターンを持つファイバトレイが求められている。
【０００４】
従来の光受信機において、搭載しているファイバトレイに第１及び第２の巻回部を設け、それらの間に光ファイバを引き回すものは知られている（例えば、特許文献１参照）。
【特許文献１】特開２００４−２５１９６８号公報（段落００２０〜００２２及び図１１）
【発明の開示】
【発明が解決しようとする課題】
【０００５】
しかしながら、前記特許文献１記載のファイバトレイは、第１及び第２の巻回部を有するものの、光ファイバの、多彩な巻き付けパターンと、余長部分の収納長さの自由度の大きさの点で十分とは言えなかった。
【０００６】
本発明は、光ファイバの余長部分をファイバトレイ上で複数の巻き取り部に巻き付けることができるようにすることによって、複数種類の長さの余長部分を収納することができる光受信機の光ファイバ余長収納構造を提供することを目的とするものである。
【課題を解決するための手段】
【０００７】
請求項１の発明は、一面が開放される本体ケーシングと、この本体ケーシングの前記一面側に取り外し可能に設けられるファイバトレイとを備え、前記ファイバトレイに光ファイバの余長部分を巻き付けて収納する余長収納部が形成されている光受信機の光ファイバ余長収納構造において、前記ファイバトレイ上には、第１の巻き付け部と第２の巻き付け部とが一定間隔を隔てて配置され、前記第２の巻き付け部が、第１の部分と第２の部分とに分割されて、それらの間を前記光ファイバが配置可能に構成され、前記ファイバトレイが、前記第１の巻き付け部と前記第２の巻き付け部との間に、前記光ファイバを大きい長円状に巻き付ける巻き付けパターン及び８の字状に巻き付ける巻き付けパターンに加えて、前記第１の巻き付け部と第２の巻き付け部の第２の部分との間に前記光ファイバを小さい長円状に巻き付ける巻き付けパターンを有することを特徴とする。
【０００８】
このようにすれば、ファイバトレイが、第１の巻き付け部と第２の巻き付け部との間に大きい長円状に巻き付ける巻き付けパターン及び８の字状に巻き付ける巻き付けパターンに加えて、第１の巻き付け部と第２の巻き付け部の第２の部分との間に小さい長円状に巻き付ける巻き付けパターンを有しているので、ファイバトレイ上での光ファイバの巻き付けパターン（収納パターン）を特許文献１に記載のものよりも増やすことができ、様々な長さの余長を収納することが可能となる。
【０００９】
請求項２に記載のように、前記第１の巻き付け部と第２の巻き付け部との間に案内部が設けられ、この案内部は、前記第２の巻き付け部の第２の部分に巻き付けられる前記光ファイバの曲率半径が、前記第２の巻き付け部の第１の部分に巻き付けられる前記光ファイバの曲率半径と同じかあるいはそれよりも大きくなるように前記光ファイバの巻き付けを案内するものであることが望ましい。
【００１０】
このようにすれば、第１の巻き付け部と第２の巻き付け部との間に光ファイバを巻き付ける場合に、案内部の案内によって、前記第２の巻き付け部の第２の部分に巻き付ける場合に光ファイバの曲率半径を第２の巻き付け部の第１の部分に巻き付ける場合の曲率半径と同じかあるいはそれより大きくすることができ、光ファイバの余長部分は、巻き付けパターン（第２の巻き付け部の第１の部分への巻き付け、第２の巻き付け部の第２の部分への巻き付け）にかかわりなく所定の曲率半径（一般の光ファイバで３０ｍｍ以上）を保つように巻き付けることができる。よって、光ファイバを、曲げ過ぎて伝送特性が劣化したり、破断したりするのが回避される。
【００１１】
請求項３の発明は、一面が開放される本体ケーシングと、この本体ケーシングの前記一面側に取り外し可能に設けられるファイバトレイとを備え、前記ファイバトレイに光ファイバの余長部分を巻き付けて収納する光受信機の光ファイバ余長収納構造において、前記ファイバトレイ上には、２つの巻き付け部の間に１つの中間巻き付け部が配置されるとともに、前記２つの巻き付け部及び１つの中間巻き付け部のいずれに対しても前記光ファイバを巻き付け可能に構成され、前記１つの中間巻き付け部が前記２つの巻き付け部のうちのいずれか一方の巻き付け部に接近して配置されていることを特徴とする。
【００１２】
このようにすれば、ファイバトレイを大きくすることなく、３つの巻き付け部（２つの巻き付け部と１つの中間巻き付け部）を配置することができ、ファイバトレイ上での光ファイバの巻き付けパターン（収納パターン）を増やすことができ、様々な長さの余長を収納することが可能となる。
【００１３】
この場合、請求項４に記載のように、前記１つの中間巻き付け部に巻き付けられる前記光ファイバの曲率半径が、前記２つの巻き付け部に巻き付けられる前記光ファイバの曲率半径と同じかあるいはそれよりも大きくなるように前記光ファイバの巻き付けを案内する案内部が、前記１つの中間巻き付け部と前記１つの中間巻き付け部から離れて配置されている巻き付け部との間に設けられていることが望ましい。
【００１４】
このようにすれば、前記１つの中間巻き付け部に巻き付けられる前記光ファイバの曲率半径を、案内部の案内によって、前記２つの巻き付け部に巻き付けられる前記光ファイバの曲率半径と同じかあるいはそれよりも大きくすることができ、光ファイバの余長部分は、巻き付けパターンにかかわりなく所定の曲率半径を保つように巻き付けることができる。
【００１５】
請求項５に記載のように、前記案内部より外側の位置に、前記光ファイバを繋ぐ接続具を保持可能である保持部が配置されている構成とすることができる。
【００１６】
このようにすれば、第１及び第２の巻き付け部への巻き付けを損なうことなく、光ファイバを繋ぐ接続具を保持することができる。
【００１７】
また、ファイバトレイ上に、４つの巻き付け部を配置する場合には、請求項６の発明のように構成することができる。すなわち、請求項６の発明は、一面が開放される本体ケーシングと、この本体ケーシングの前記一面側に取り外し可能に設けられるファイバトレイとを備え、前記ファイバトレイに光ファイバの余長部分を巻き付けて収納する光受信機の光ファイバ余長収納構造において、前記ファイバトレイ上には、２つの巻き付け部の間に２つの中間巻き付け部が配置されるとともに、前記２つの巻き付け部及び２つの中間巻き付け部のいずれに対しても前記光ファイバを巻き付け可能に構成され、前記２つの中間巻き付け部は、前記２つの巻き付け部のうちの近い側の巻き付け部に接近して配置されていることを特徴とする。
【発明の効果】
【００１８】
以上のように構成したから、本発明は、光ファイバを大きい長円状に巻き付ける巻き付けパターン、８の字状に巻き付ける巻き付けパターン、光ファイバを小さい長円状に巻き付ける巻き付けパターンを含めて、ファイバトレイ上での光ファイバの巻き付けパターン（収納パターン）を増やすことができる。よって、様々な長さの余長を収納することが可能となる。
【発明を実施するための最良の形態】
【００１９】
以下、本発明の実施の形態を図面に沿って説明する。
【００２０】
図１は本発明に係る光受信機の分解斜視図、図２は光受信機のケーシングカバーが開放された状態の側面図、図３はファイバトレイ及びケーシングカバーを取り外した状態を示す平面図、図４は図３のIV-IV線における断面図である。
【００２１】
図１〜図４に示すように、光受信機１は、一面（図１においては上面）が開放される本体ケーシング２と、この本体ケーシング２の前記一面側に取り外し可能に嵌め込まれるファイバトレイ３と、本体ケーシング２に開閉可能に設けられたケーシングカバー４とを備える。本体ケーシング２の内部（図１において底部）には、電源部５と、この電源部５によって電力を供給され（放送系の）光信号を電気信号に変換する光受信増幅部６とが設けられている。
【００２２】
光受信増幅部６は、この光受信増幅部６に光信号を受光するための光中継用アダプタ６ａを有し、この光中継用アダプタ６ａはシールドケース６ｂの上面に、支持部材６ｃを介して一定の角度をなすように取り付けられている。光中継用アダプタ６ａを介して入力された光信号は、光受信増幅部６において電気信号に変換され、増幅される。この増幅された電気信号は、シールドケース６ｂの下面部（図３参照）に設けられた出力端子８から出力される。この出力端子８から出力される電気信号をモニタするモニタ端子７が、シールドケース６ｂの下面部に出力端子８と並列に設けられている。なお、電気信号はテレビ放送信号であり、この電気信号は出力端子８からは同軸ケーブル（図示せず）を介してテレビ受信機などに供給される。
【００２３】
本体ケーシング２の下面には、図３に示すように、出力端子８及びモニタ端子７がそれぞれ貫通される挿通孔２ａ，２ｂが形成されている。また、本体ケーシング２の両側面後部には、ケーシングカバー４を、ヒンジ片４ａの部分で回転可能に支持する一対の係合凸部２ｃが形成されている。また、ケーシングカバー４を本体ケーシング２に固着するためのネジが螺着される雌ネジ部２ｄが下面部側に設けられている。さらに、本体ケーシング２の下面部から下方へ、シールドケース６ｂのアース用突部６ｄが突出し、ねじ（図示せず）にて本体ケーシング２の下面部に取り付けられている。
【００２４】
電源部５及び光受信増幅部６を本体ケーシング２内の底面部に取付け、その内部に収納した状態において、本体ケーシング２の一面（開放面）を閉塞するように、内部カバーとして機能するファイバトレイ３が嵌め込まれている。
【００２５】
本体ケーシング２の下面部側からケーシング内方に１対の係合突部２ｋが突出しており、その係合突部２ｋに係脱可能に係合する１対の切り欠き部３ａがファイバトレイ３に形成されており、本体ケーシング２の上面部内に、ファイバトレイ３の後端部が係止される１対の係止部２ｅ（図３参照）が形成されている。よって、係合突部２ｋを切り欠き部３ａに係合させた状態で、ファイバトレイ３を本体ケーシング２上に嵌め込むと、ファイバトレイ３の上端部が係止部２ｅにて支持される。なお、係合突部２ｋが形成されている両側には、導入される光ケーブル１００を通すための切り欠き部２ｆと、電源部５から外部に延びる電源コード５ａを通す切り欠き部２ｇとが形成されている。なお、導入された光ケーブル１００は、ファイバの先端部分だけを簡単にコネクタ加工できる簡易コード化部材１０内で、放送系の光ファイバ１００Ａと通信系の光ファイバ１００Ｂとに分けられる。
【００２６】
また、ファイバトレイ３のほぼ中央部には貫通穴３ｂが形成され、本体ケーシング２に設けられたボス部２ｈに、貫通穴３ｂを通じてビスを適用することで、ファイバトレイ３が本体ケーシング２に固定される。
【００２７】
ファイバトレイ３の前面部は、図５に詳細を示すように、仕切壁部３ｃによって、光ケーブル１００が導入されるケーブル導入部Ｓ１と、光ファイバ１００Ａ，１００Ｂを巻き付けることにより、光ファイバ１００Ａ，１００Ｂの余長部分を収納する余長収納部Ｓ２とに区画されている。上下面には、それらの外周囲を規定する第１及び第２の湾曲壁部３ｄ，３ｅが形成されている。
【００２８】
ケーブル導入部Ｓ１においては、ファイバトレイ３の下面側には、光ケーブル１００が挿入される側に、簡易コード化部材１０を嵌合可能な第１の凹部Ｓ１１が、その第１の凹部Ｓ１１に連続して挿入される側とは反対側に、簡易コード化部材１０から引き出される光ファイバ１００Ａ，１００Ｂが収納される第２の凹部Ｓ１２が形成されている。
【００２９】
図５に示すように、ケーブル導入部Ｓ１に並んで設けられる余長収納部Ｓ２においては、ファイバトレイ３の底面部からそれに直交する方向に突出する板状のリブを組み合わせることによって、光ファイバ１００Ａ，１００Ｂの余長部分を巻き付けのために通過させる多彩な経路が形成されている。
【００３０】
具体的には、余長収納部Ｓ２には、第１の巻き付け部１１と第２の巻き付け部１２とが一定間隔を隔てて配置される。そして、余長収納部Ｓ２において、第１の凹部Ｓ１１の隣側に第１の巻き付け部１１が、第２の凹部Ｓ１２の隣側に第２の巻き付け部１２がそれぞれ位置している。第２の巻き付け部１２は、第１の部分１２Ａと第２の部分１２Ｂ（中間巻き付け部）に分割されており、それら部分１２Ａ，１２Ｂの間は、余長部分である光ファイバ１００Ａ，１００Ｂが配置可能な通路１３となっている。第１及び第２の部分１２Ａ，１２Ｂはそれぞれ独立した巻き付け部であるが、それらが接近して配置されていることで、両部分１２Ａ，１２Ｂで１つのまとまり（第２の巻き付け部１２Ａ）を構成している。ここで、第１の部分１２Ａ及び第２の部分１２Ｂも巻き付け部として機能するので、ファイバトレイ３上には、３つの巻き付け部（第１の巻き付け部１１と、第２の巻き付け部１２の第１の部分１２Ａと、それらの間に位置する第２の巻き付け部１２の第２の部分１２Ｂ）が配置されていることになる。
【００３１】
そして、図７に示すように、ファイバトレイ３は、第２の巻き付け部１２の周囲に巻き付ける巻き付けパターンＰ１のほか、第１の巻き付け部１１と第２の巻き付け部１２との間に光ファイバ１００Ａ，１００Ｂを大きい長円状に巻き付ける巻き付けパターンＰ２及び８の字状に巻き付ける巻き付けパターンＰ３に加えて、第１の巻き付け部１１と第２の巻き付け部１２の第２の部分１２Ｂとの間に光ファイバ１００Ａ，１００Ｂを小さい長円状に巻き付ける巻き付けパターンＰ４を有する。
【００３２】
また、第１の巻き付け部１１と第２の巻き付け部１２との間には、第１及び第２の案内部１４，１５が配置されている。これら案内部１４，１５は、第２の巻き付け部１２の第２の部分１２Ｂに巻き付ける際の光ファイバ１００Ａ，１００Ｂの曲率半径が、第２の巻き付け部１２の第１の部分１２Ａに巻き付ける際の曲率半径と同等又はそれよりも大きくなるように光ファイバ１００Ａ，１００Ｂを案内するものである。
【００３３】
ケーブル導入部Ｓ１と第１の案内部１４との間には、光ファイバ１００Ａ，１００Ｂを繋ぐ接続具１０２を保持可能である第１の保持部１６が配置され、ケーブル導入部Ｓ１と反対側に位置する第２の案内部１５の外側には、接続具１０２を保持可能である第２及び第３の保持部１７，１８が配置されている。この各保持部１６〜１８は、光ファイバ１００Ａ，１００Ｂの余長部分の長さに応じて適宜使い分けられる。なお、接続具１０２としては、周知のメカニカルスプライス（光ファイバーを溶かさないで機械的に接合するもの）または融着スリーブ（光ファイバを機械的に接合するのではなく、溶かして繋ぐもの）が用いられる。各保持部１６〜１８には、接続具１０２が外れにくいように１対の押圧フィン１６ａ〜１８ａが設けられている。
【００３４】
この第１〜第３の保持部１６〜１８は、第１の巻き付け部１１及び第２の巻き付け部１２に光ファイバ１００Ａ，１００Ｂを大きい長円状に巻き付けた場合の光ファイバ１００Ａ，１００Ｂの外側に位置するようになっており、第１〜第３の保持部１６〜１８を通過させる場合と、そうでない場合とで、収納できる余長部分の長さを変更できるようになっている。
【００３５】
また、第１及び第２の巻き付け部１１，１２の間には、それらの間に光ファイバ１００Ａ，１００Ｂが巻き付けられた場合にその光ファイバ１００Ａ，１００Ｂの下側を通って、光受信増幅部６の光中継用アダプタ６ａに、放送系の光ファイバ１００Ａの終端部の光コネクタ１００ａを着脱可能に接続するために案内する案内凹部２１が形成されている。
【００３６】
この案内凹部２１は、第２の巻き付け部１１の一側（ケーブル導入部Ｓ１とは反対側）から、第１の巻き付け部１１の他側（ケーブル導入部Ｓ１の側）に向かうように本体ケーシング２の長手方向中心線に対して傾斜して延び、第２の巻き付け部１２の下側の開口３ｆに通じるように設けられている。そして、案内凹部２１の底面（ファイバトレイ３の底面でもある）は、開口３ｆに向かって徐々に高さが低くなるように傾斜している。これにより、放送系の光ファイバ１００Ａの先端に設けられた光コネクタ１００ａを、第１及び第２の巻き付け部１１，１２より低い位置、すなわちファイバトレイ３の下側で光中継用アダプタ６ａに接続することができるようになる。
【００３７】
第１の巻き付け部１１は、図５に示すように、前側に向かって突出する円弧形状のリブ１１ａで外周部分が形成され、その内部に通信系の光ファイバ１００Ｂを案内する通路状の案内部２２が同様にリブ２２ａ，２２ｂによって形成され、通信系の光ファイバ１００Ｂが、第１の巻き付け部１１に巻き付けられる放送系の光ファイバ１００Ａの上側を通過し、切り欠き部３ｈを通じて外部に導かれる構成とされている。つまり、第１の巻き付け部１１の外周部分を形成する円弧形状のリブ１１ａの途中に、通信系の光ファイバ１００Ｂを外部に導き出すための切り欠き部１１ｂが形成され、その切り欠き部１１ｂに案内部２２が通じている。
【００３８】
第２の巻き付け部１２は、前側に向かって突出する円弧形状のリブ１２Ａ１及びそのリブ１２Ａ１の内側に位置しそのリブ１２Ａ１より曲率半径が大きいリブ１２Ａ２にて構成される第１の部分１２Ａと、この第１の部分１２Ａのリブ１２Ａ２との間に、通路１３を形成する筒状の第２の部分１２Ｂとを有する。第２の部分１２Ｂは、リブ１２Ａ２と同様な曲率半径を有するがそれよりは短い円弧形状のリブ１２Ｂ１と、この円弧形状に対応した形状で反対側に突出するように湾曲したリブ１２Ｂ２とを有する。第２の巻き付け部１２の外周部分（リブ１２Ａ１，１２Ｂ２）は、第１の巻き付け部１１の外周部分とほぼ同じ曲率半径となっている。第１及び第２の巻き付け部１１，１２は、それらの径が約３０ｍｍ以上とされ、巻き付けた光ファイバ１００Ａ，１００Ｂにおける光信号の伝送ロスが大きくならないようにしていると共に、その破断を防止している。
【００３９】
また、第１及び第２の巻き付け部１１，１２や案内部１４、保持部１６，１７には、各巻き付け部１１，１２や案内部１４、保持部１６，１７からの光ファイバ１００Ａ，１００Ｂが通過する部分に対し光ファイバ１００Ａ，１００Ｂの離脱（浮き上がり）を防止するためのひさし状の水平リブ３１〜４２が、通路に向けて水平に突出するように設けられている。通路１３に対しても水平リブ４３〜４５が設けられている。第１及び第２の湾曲壁部３ｄ，３ｅには、経路の幅が広くなるので、前述した水平リブ３１〜４５よりも長い水平リブ４６〜４９が設けられている。そして、光ファイバ１００Ａ，１００Ｂが通過する経路の幅に対して水平リブ３１〜４５，４６〜４９が長めになっているので、ファイバトレイ３を傾けても、光ファイバ１００Ａ，１００Ｂをしっかりと保持できる。また、第１の巻き付け部１１の外周部分であって通信系の光ファイバ１００Ｂが外部に導かれる部分の両側に設けられる水平リブ３２，３３は、他の部分に設けられる水平リブ３１、３４〜４９よりも低い位置に設けられ、通信系の光ファイバ１００Ｂが、他の光ファイバと干渉することなく外部に導き出されるようになっている。
【００４０】
第１及び第２の巻き付け部１１，１２と各保持部１６〜１８との間には、光ファイバ１００Ａ，１００Ｂを案内する板状の補助案内リブ５１〜５６がそれぞれ設けられている。
【００４１】
上記構成によれば、例えば図６に示すように、光ケーブル導入用の切り欠き部２ｆを通じて、入力側からの光ケーブル１００がファイバトレイ３内に入ってきた後、簡易コード化部材１０（第１の凹部Ｓ１１）を経て、第２の凹部Ｓ１２で、放送系の光ファイバ１００Ａと通信系の光ファイバ１００Ｂとは別々に分かれる。
【００４２】
放送系の光ファイバ１００Ａ（図６の実線参照）は、ファイバトレイ３上の第２の巻き付け部１２（第１の部分１２Ａ及び第２の部分１２Ｂ）の周囲を一周した後、斜め向きの放送系の光ファイバ１００Ａの光中継用アダプタ６ａに向かう。通信系の光ファイバ１００Ｂ（図６の破線参照）は、第２の巻き付け部１２から第３の保持部１８の、接続具１０２を経て、第１の巻き付け部１１から第２の巻き付け部１２を経て、余長収納部Ｓ２内を一周した後に、案内部２２を通って、通信系の出力ケーブルとして外部に導出される。
【００４３】
このように、余長収納部Ｓ２において、第１及び第２の湾曲壁部３ｄ，３ｅとの間に、第１および第２の巻き付け部１１，１２や保持部１６〜１８を利用して、光ファイバ１００Ａ，１００Ｂが通る経路（光ファイバを収容する収容溝でもある）を形成することで、多彩な経路を経て巻き付けることができ、光ファイバ１００Ａ，１００Ｂの余長部分の長さを調節することができる。つまり、余長部分をファイバトレイ３上にうまく収納するために、光ファイバ１００Ａ，１００Ｂを引き回すための収納パターンをこのファイバトレイ３は複数種類有している。
【００４４】
その収納パターンの例として、図７において、巻き付けパターンＰ１〜Ｐ４として示す。これらの巻き付けパターンで光ファイバ１００Ａ，１００Ｂを巻き付けて収納したときの長さは、巻き付けパターンＰ１の場合は２０〜２４cm、巻き付けパターンＰ２の場合は３８〜４４cm、巻き付けパターンＰ３の場合は４３〜５０cm、巻き付けパターンＰ４の場合は２９〜３３cmとなる。つまり、巻き付けパターンそれぞれについて長さに範囲があるため、光ファイバ１００Ａ，１００Ｂの長さ２０〜５０cmの範囲で、引き回して収納することが可能になる。
【００４５】
また、簡易コード化部材１０を使用せずに、引っ張り止め金具１０３（図６参照）のみを使う場合には、保持部１８の接続具１０２を保持部１６に移動すると、巻き付けパターンＰ５のような引き回し方も可能になっている。なお、３ｗ，３ｖは、ファイバトレイ３上に形成された引っ張り止め具１０３の収容部である。
【００４６】
よって、光ファイバ１００Ａ，１００Ｂに光コネクタ１００ａや接続具１０２（メカニカルスプライス、融着スリーブ）を現場で取り付ける際には、作業を行うためのゆとりとして前記余長部分を利用することができ、あるいは接合を失敗したときには切断し直して結線することも可能となる。
【００４７】
以上説明した光受信機１において、余長収納部Ｓ２に収納される光ファイバ１００Ａの先端に設けた光コネクタ１００ａを光中継用アダプタ６ａに着脱可能に接続することにより、光受信増幅部６に光信号を導入するようにしている。これにより、故障などにより光受信増幅部６を交換する必要性が生じた場合、光中継用アダプタ６ａから光コネクタ１００ａを外すことによりファイバトレイ３に形成されている余長収納部Ｓ２に光ファイバ１００Ａ，１００Ｂの余長部分を収納したままで、ファイバトレイ３を取り外して光受信増幅部６を交換することができるようになる。
【００４８】
前記実施の形態においては、第２の巻き付け部１２のみ、２つの巻き付け部（第１の部分１２Ａと第２の部分１２Ｂ）で構成されるようにしているが、本発明はそれに限定されるものではなく、第１の巻き付け部１１も、第２の巻き付け部と同様に、接近して配置される２つの巻き付け部（第１の部分１２Ａ及び第２の部分１２Ｂに相当する第１の部分及び第２の部分）で構成することも可能である。この場合には、２つの巻き付け部の間に、２つの中間巻き付け部が配置されることになり、ファイバトレイ上に４つの巻き付け部が配置されることになる。
【図面の簡単な説明】
【００４９】
【図１】本発明に係る光受信機の分解斜視図である。
【図２】光受信機のカバーが開放された状態の側面図である。
【図３】ファイバトレイ及びケーシングカバーを取り外した状態を示す平面図である。
【図４】図３のIV-IV線における断面図である。
【図５】ファイバトレイの平面図である。
【図６】光ファイバの引き回しの一例を示す説明図である。
【図７】光ファイバトレイの引き回しの他の例を示す説明図である。
【符号の説明】
【００５０】
１    光受信機
３    ファイバトレイ
５    電源部
６    光受信増幅部
１１    第１の巻き付け部
１２    第２の巻き付け部
１２Ａ    第１の部分
１２Ｂ    第２の部分（中間巻き付け部）
１６〜１８    保持部
２１    案内凹部
２２    案内部
１００    光ケーブル
１００Ａ    放送系の光ファイバ
１００Ｂ    通信系の光ファイバ
１００ａ    光コネクタ
１０２    接続具
【図１】
2006115341.tif 000003
【図２】
2006115341.tif 000004
【図３】
2006115341.tif 000005
【図４】
2006115341.tif 000006
【図５】
2006115341.tif 000007
【図６】
2006115341.tif 000008
【図７】
2006115341.tif 000009